(57)【要約】【目的】自動販売機の庫内前面に配した断熱内扉の扉ロック装置について、ロック部材の部品を簡素化してコストダウンを図る。【構成】外箱の庫内前面に配した片開き式の内扉３について、該扉の吊り側をヒンジ金具６により外箱に支持し、吊り側と反対側端に設けたロック部材を外箱の補強板８に形成した係止穴に差し込んで内扉を閉位置に係止するようにした内扉ロック装置において、前記ロック部材を板状のロック片７として内扉３の端面に縦向き装着するとともに、該ロック片に対向して外箱補強板にはロック片が嵌入するスリット状の縦溝９ａと、該縦溝の上部側に連ねて前方に開放した角穴状の抜け穴９ｂからなる異形の係止穴９を形成し、内扉の閉位置ではロック片７を係止穴の縦溝９ａに落とし込んでこの位置に係止し、扉開放時には内扉を若干上方（矢印Ｐ方向）に持ち上げてロック片を係止穴の縦溝から抜け穴９ｂへ引き上げた上で、ヒンジ金具６を支点に内扉３を前方（矢印Ａ）に回転して開放する。【選択図】      図１
2005165515.tif 000002
【特許請求の範囲】
【請求項１】
庫内に商品収納ラックを搭載した外箱の前面に配した片開き式の内扉を閉位置に係止するための内扉ロック装置であって、内扉は吊り側がヒンジ金具を介して外箱に取り付け、吊り側と反対側端に設けたロック部材を外箱の補強板に形成した係止穴に差し込んで内扉を閉位置に係止するようにしたものにおいて、
前記ロック部材を板状のロック片として内扉の端面に縦向き装着するとともに、該ロック片に対向して外箱補強板にはロック片が嵌入するスリット状の縦溝と、該縦溝の上部側に連ねて外箱の前方側に開放した角穴状の抜け穴からなる異形の係止穴を形成し、内扉の閉位置では前記ロック片を係止穴の縦溝に落とし込んでこの位置に係止し、扉開放時には内扉を若干上方に持ち上げてロック片を係止穴の縦溝から抜け穴へ引き上げた上で、前記ヒンジ金具を支点に内扉を前方に回転して開くようにしたことを特徴とする自動販売機の内扉ロック装置。
【請求項２】
請求項１に記載の内扉ロック装置において、内扉の吊り側に設けたヒンジ金具を抜差形のヒンジ金具とし、内扉の閉位置でヒンジ結合状態を保ったまま内扉を若干上方へ持ち上げられるようにしたことを特徴とする自動販売機の内扉ロック装置。
【発明の詳細な説明】
【技術分野】
【０００１】
本発明は、ホット，コールド商品を販売する自動販売機のキャビネットに装備した内扉のロック装置に関する。
【背景技術】
【０００２】
まず、頭記した自動販売機の構成を図４に示す。図において、１は断熱筐体になるキャビネットの外箱、２は外箱１の前面に配した外扉、２ａは商品取出口、３は外扉２の内側に配して庫内と庫外との間を断熱する断熱内扉、４は外箱１の庫内に搭載した商品収納ラック（サーペンタイン式商品収納ラック）である。なお、前記構成の自動販売機の販売動作は周知であり、ここでは説明を省略する。
また、前記の内扉３は、片開き式扉として扉板の吊り側がヒンジ金具（図示せず）を介して外箱１の開口部に取り付けられており、吊り側と反対側の扉端部には手動操作で係止，釈放操作する扉ロック装置５を装備し、内扉３を閉じた状態で扉ロック装置５を外箱１に係止して扉が開かないようにしている（例えば、特許文献１参照）。なお、図中のＡは内扉３の開閉方向を表しており、３ａは商品取出口２ａに通じる商品搬出扉である。
【０００３】
ここで、従来の自動販売機に装備した内扉３の扉ロック装置５は、特許文献１に開示されているように棒状の線材（ワイヤ）を曲げ加工して成形したクランク形のロックレバーを取付金具と組み合わせて内扉の扉板に装着するとともに、このロックレバーに対向して外箱１の開口部側縁には係止穴（角穴）を開口しておき、扉の閉位置でロックレバーの先端を係止穴に嵌挿して係止するようにしている。
【特許文献１】特開平１０−７９０８０号公報
【発明の開示】
【発明が解決しようとする課題】
【０００４】
ところで、前記した従来構造の扉ロック装置をコスト面から再検討すると、従来の扉ロック装置はロックレバー，取付金具との組立体で構成していることからその部品点数，加工費，および組立工数が多くなり、このために製作コストが嵩む問題がある。
本発明は上記の点に鑑みなされたものであり、コストダウンを狙いに部品点数および加工，組立工数の削減化が図れるように構造を改良した自動販売機の内扉ロック装置を提供することを目的とする。
【課題を解決するための手段】
【０００５】
上記目的を達成するために、本発明によれば、庫内に商品収納ラックを搭載した外箱の前面に配した片開き式の内扉について、該扉の吊り側をヒンジ金具により外箱に支持し、吊り側と反対側端に設けたロック部材を外箱の補強板に形成した係止穴に差し込んで内扉を閉位置に係止するようにした内扉ロック装置において、
前記ロック部材を板状のロック片として内扉の端面に縦向き装着するとともに、該ロック片に対向して外箱補強板にはロック片が嵌入するスリット状の縦溝と、該縦溝の上部側に連ねて前方に開放した角穴状の抜け穴からなる異形の係止穴を形成し、内扉の閉位置では前記ロック片を係止穴の縦溝に落とし込んでこの位置に係止し、扉開放時には内扉を若干上方に持ち上げてロック片を係止穴の縦溝から抜け穴へ引き上げた上で、前記ヒンジ金具を支点に内扉を前方に回転して開くようにする（請求項１）。
【０００６】
また、上記した内扉の開閉操作を補完するために、本発明では内扉の吊り側に設けたヒンジ金具に抜差形のヒンジ金具を採用し、内扉の閉位置ではヒンジ結合の状態を保ったまま外箱に対して内扉を若干上方へ持ち上げられるようにする（請求項２）。
【発明の効果】
【０００７】
上記構成の内扉ロック装置は、ロック部材として板金製の簡易なロック片を内扉の端面に固定し、このロック片に対向して外箱の補強板に異形の係止穴を開口しただけであり、棒材を曲げ加工して製作したクランク形のロックレバーと取付金を組み合わせた従来構造のロック部材に比べて、部品点数，部品の加工費，組立工数も少なく済み、これによりコストダウンが図れる。
しかも、内扉の閉位置では、ロック片を係止穴の縦溝に落とし込んで外箱の補強板に係止しているので、不測にロック片が係止穴から抜け出て内扉が開くことも無くて安全である。
【発明を実施するための最良の形態】
【０００８】
以下、本発明の実施の形態を図１ないし図３示す実施例に基づいて説明する。なお、実施例の図中で図４に対応する部材には同じ符号を付してその説明は省略する。
すなわち、図示実施例においては、片開き式として扉板の吊り側（図示の左端側）を上下二組のヒンジ金具６を介してキャビネットの外箱に支持（ヒンジ結合）した内扉３対して、その吊り側と反対側の端面（図示の右側端）には、ロック部材として図２(a) で表すように鋼板をＬ字形に板金加工したロック片７が扉端面の上下二箇所に振り分けて縦向き姿勢にねじ止め固定されている。
また、前記のロック片７と個々に対向して外箱１の開口部に設けた補強板８には次記のような異形の係止穴９が開口されている。この係止穴９は、図２(b),(c) で示すように前記ロック片７が嵌入するスリット状の縦溝９ａと、この縦溝９ａの上部側に連ねて外箱１の前方側に延びた幅広な角穴状の抜け穴９ｂとを組み合わせた形状になる。さらに、前記した外箱の補強板８は、図２(c) で表すような断面形状に板金加工を施して内扉３の受座８ａを形成するとともに、前記の抜け穴９ｂが外箱１の前方に向けて開放するようにしている。
【０００９】
一方、内扉３の吊り側に設けた上下二組のヒンジ金具６（図１参照）はいわゆる抜差形の蝶番構造として、内扉３の端部に固定した上側のヒンジ部品６ａと外扉側に固定した下側のヒンジ部品６ｂとをヒンジ軸６ｃで連結し、かつヒンジ軸６ｃは例えはヒンジ６ａに固定してその軸先端側をヒンジ６ｂの穴に遊嵌した上で、ヒンジ軸６ｃの長さをヒンジ６ｂへの嵌め代よりも長めに設定した構造になる。このような抜差形のヒンジ金具６を用いることにより、内扉３を多少上方（矢印Ｐ方向）に持ち上げても、ヒンジ軸６ｃがヒンジ部品６ｂから抜け出ることなく、ヒンジ結合の状態を保つことが可能である。
次に、前記構成による内扉３の開閉操作に伴う扉ロック装置の係止，釈放動作を図３(a),(b) により説明する。まず、内扉３を閉じた状態では、図３(a) で示すようにロック片７が係止穴９の縦溝９ａに落ち込んでこの位置に係止されている。この状態から内扉３を開くには、先ず内扉３を閉位置で若干上方に持ち上げる。これにより、ロック片７は扉と一緒に図３(a) の矢印Ｉ方向に移動して縦溝９ａから上方に抜け出し、図３(b) で表すように抜け穴９ｂの領域に移る。続いてヒンジ金具６（図１参照）を支点に内扉３を前方に回転（扉を手前に引き寄せる）すると、ロック片７は図３(b) の矢印II方向に移動して抜け穴９ｂから前方に抜け出してフリーとなるので、内扉３をそのまま図４の矢印Ａ方向に全開位置まで開くことができる。一方、扉３を閉じる場合には、前記と逆の手順で内扉３を開放状態から押し込んでロック片７を係止穴９の抜け穴９ｂに挿入し、さらに閉位置に到達したところで持ち上げていた内扉３を下ろすと、ロック片７が係止穴９の縦溝９ａに落ち込んでこの位置に係止される。
【００１０】
なお、前記ヒンジ金具６のヒンジ部品６ａと６ｂとの間に段付きカム面を形成するなどして、内扉３を閉位置から若干持ち上げて手前に回転した際に扉をこの高さに保持するようにしておけば、内扉の開閉および扉ロック装置の係止，釈放操作を楽に行なうことができる。
【図面の簡単な説明】
【００１１】
【図１】本発明の実施例による内扉，およびその扉ロック装置の構成斜視図
【図２】図１における要部の詳細構造図で、(a) はロック片の取り付け状態を表す拡大図、(b) は外扉補強板に形成した係止穴の拡大図、(c) は(b) の矢視Ｘ−Ｘ断面図
【図３】図１の扉ロック装置の動作説明図で、(a),(b) はそれぞれロック片の係止，釈放状態を表す図
【図４】自動販売機の扉を開放した状態での外観斜視図
【符号の説明】
【００１２】
１    外箱
３    内扉
４    商品収納ラック
５    扉ロック装置
６    ヒンジ金具
７    ロック片
８    外箱補強板
９    係止穴
９ａ  縦溝
９ｂ  抜け穴
【図１】
2005165515.tif 000003
【図２】
2005165515.tif 000004
【図３】
2005165515.tif 000005
【図４】
2005165515.tif 000006